(57)【要約】【課題】強固な位置決めが可能かつ積上げ可能な収納棚を提供する。【解決手段】二つの支持枠３はそれぞれ架台２の左右両側に組み立てられ、支持枠３はＵ字型になるように曲がっており、支持枠３の上方の自由端には、水平方向の内側に向くように曲がっている第一の組立部１０と第二の組立部１１が形成されており、第一の組立部１０と第二の組立部１１はそれぞれ弓形面１２及び挿設端１３が曲げられており、弓形面１２と挿設端１３のいずれも架台２の側枠面５の長円形穴７及び円形穴６に向くように対応し、挿設端１３は架台２の側枠面５の円形穴６内に挿入され、支持枠３は自由に立つように展開して折り畳み作動をすることができ、支持枠３が立つように展開して直立状を呈する時に、弓形面１２は直ちに長円形穴７内に挿入され位置決めされ、弓形面１２が長円形穴７から離脱するときに支持枠３は水平状を呈するように収めることができる。【選択図】図１
0003230075.tif 000002
【実用新案登録請求の範囲】
【請求項１】
矩形平面を有する架台と、
一対の支持枠と、を備え、
前記架台の頂面は矩形の舗装面が周縁に二つの長辺と二つの短辺を有する側枠面と接続し、
前記架台の側枠面は二つの長辺のコーナーにそれぞれ一つの円形穴が設置されており、
隣り合う前記円形穴の片側の水平方向に間隔をあけて一つの長円形穴が設置され、
前記側枠面の短辺にそれぞれＵ字型開け口が下を向くようにすることにより把持が可能な取っ手が設置され、
二つの前記支持枠はそれぞれ前記架台の左右両側に組み立てられ、
前記支持枠はＵ字型になるように曲がっており、
前記支持枠の上方の自由端には、水平方向の内側に向くように曲がっている第一の組立部と第二の組立部が形成されており、
前記第一の組立部と第二の組立部はそれぞれ弓形面及び挿設端が曲げられており、
前記弓形面と前記挿設端のいずれも前記架台の側枠面の長円形穴及び円形穴に向くように対応し、
前記挿設端は前記架台の側枠面の円形穴内に挿入され、
前記支持枠は自由に立つように展開して折り畳み作動をすることができ、
前記支持枠が立つように展開して直立状を呈する時に、前記弓形面は直ちに前記長円形穴内に挿入され位置決めされ、
前記弓形面が前記長円形穴から離脱するときに前記支持枠は水平状を呈するように収めることができることを特徴とする収納棚。
【請求項２】
前記架台は前記側枠面の短辺にそれぞれ一つのＵ字型開け口が下を向くようにすることにより把持が可能な前記取っ手が設置されていることを特徴とする請求項１に記載の収納棚。
【請求項３】
前記支持枠の下方には閉鎖的で水平方向に曲がっており、外へ向く足部が隣接することを特徴とする請求項１に記載の収納棚。
【請求項４】
前記架台の周縁には二つの長辺と二つの短辺を有する前記側枠面が設置されており、前記側枠面には二つの長辺の左右両側のコーナーに、それぞれ一つの翼板が隣接するように設置されており、前記翼板上には前記円形穴が設置され、隣り合う前記円形穴の片側の水平方向に間隔をあけて一つの前記長円形穴が設置されていることを特徴とする請求項１に記載の収納棚。
【請求項５】
前記側枠面は二つの長辺の左右両側のコーナーに、隣り合う前記円形穴の片側の水平方向に間隔をあけて長方形穴が設置されていることを特徴とする請求項１または請求項４に記載の収納棚。
【請求項６】
前記弓形面は二つの折り曲げ箇所により構成され突起状を呈することを特徴とする請求項１に記載の収納棚。
【請求項７】
前記挿設端は前記支持枠をなす金属鉄棒の自由端が水平方向の内側に向くように折り曲げられることを特徴とする請求項１に記載の収納棚。
【考案の詳細な説明】
【技術分野】
【０００１】
本考案は収納棚に関する。
【背景技術】
【０００２】
従来の収納棚は組み立てた後、概ね固定式の形態であり、収納棚の支持枠は折り畳むことができない。体積は使用者に運輸、携帯させまたは倉庫に収めさせるのに不便さを与えないように縮小することができず、収納棚はそれが積上げられてから初めて使用の便利性を引き上げることができる。一般的なものはいずれも固定式の形態であり、収納棚を積上げ、またそれを簡単かつ強固なものにするためには、さらにこれらの問題を克服しまた革新的なものにする必要がある。
【考案の概要】
【考案が解決しようとする課題】
【０００３】
既存の収納棚の支持枠を起立させるように展開する時に強固な位置決めの効果を提供できないために生じ、また派生した諸問題と欠点に鑑みて、考案者はそれに対して研究開発・改善を行った。関連産業に従事した長年の経験と技術に基づき、本考案の支持枠の位置決め構造を研究開発した。
【０００４】
本考案の目的は、強固な位置決めが可能かつ積上げ可能な収納棚を提供することにある。
【課題を解決するための手段】
【０００５】
本考案は、支持枠を起立させるように展開する時の位置決め構造の設計において、以下のように構成されている。
収納棚は、矩形平面を有する架台と、一対の支持枠と、を備える。
架台の頂面は矩形の舗装面が周縁に二つの長辺と二つの短辺を有する側枠面と接続する。架台の側枠面は二つの長辺のコーナーにそれぞれ一つの円形穴が設置されている。
【０００６】
隣り合う円形穴の片側の水平方向に間隔をあけて一つの長円形穴が設置される。側枠面の短辺にそれぞれＵ字型開け口が下を向くようにすることにより把持が可能な取っ手が設置される。
【０００７】
二つの支持枠はそれぞれ架台の左右両側に組み立てられ、支持枠はＵ字型になるように曲がっている。支持枠の上方の自由端には、水平方向の内側に向くように曲がっている第一の組立部と第二の組立部が形成されている。第一の組立部と第二の組立部はそれぞれ弓形面及び挿設端が曲げられている。
【０００８】
弓形面と挿設端のいずれも架台の側枠面の長円形穴及び円形穴に向くように対応し、挿設端は架台の側枠面の円形穴内に挿入され、支持枠は自由に立つように展開して折り畳み作動をすることができる。支持枠が立つように展開して直立状を呈する時に、弓形面は直ちに長円形穴内に挿入され位置決めされ、弓形面が長円形穴から離脱するときに支持枠は水平状を呈するように収めることができる。
【０００９】
また、数組の収納棚を選択して上へと相互に積上げ、上層の収納棚の支持枠の足部を下層の収納棚の取っ手に挿入し相互に組み立てることができる。このことにより、収納棚を積上げ、収納棚をどれほどの高さに折り畳むかは使用者が自由に選択することができ、それにより機敏に収納棚を組み立てる効果を得ることができる。
【００１０】
本考案は、主に支持枠構造に合わせるように収納棚の側枠面を設計することにより、支持枠を起立させるように展開する時に強固に係合するための位置決めを獲得することができ、同時に収納棚を折り畳む時にも折り畳む関係を強固に維持することができ、それにより優れている実用価値が付与される。
【図面の簡単な説明】
【００１１】
【図１】本考案の好適な実施例における組み立てた斜視図である。
【図２】本考案の好適な実施例における、収納棚の支持枠を起立させるように展開する状態の斜視図である。
【図３】本考案の好適な実施例における支持枠の構造図である。
【図４】本考案の好適な実施例における収納棚の架台の部分構造図である。
【図５】本考案の好適な実施例における支持枠の折り畳んだ状態の部分構造の模式図である。
【図６】本考案の好適な実施例における、収納棚の片側の支持枠を起立させるように展開する場合の斜視図である。
【図７】本考案の収納棚の好適な実施例における、積上げ状態の構造の模式図である。
【図８】本考案の実施例における、収納棚を多層の状態に積上げた模式図である。
【図９】本考案の収納棚の別の好適な実施例における架台の構造の斜視図。
【図１０】本考案の別の好適な実施例における、収納棚を多層状態に積上げた構造模式図である。
【考案を実施するための形態】
【００１２】
本考案の構造組成、技術手段及び効果達成の面について、図面と照らし合わせて、さらに具体的に下記のように説明する。図１〜８に示すのは、本考案の好適な実施形態である。図に示すように、本考案の収納棚１は構造設計において、矩形平面を有する架台２及び一対の支持枠３により構成される。架台２の構造はその頂面が矩形の舗装面４であり、舗装面４は金属メッシュまたは鉄線グリッドまたは板材を選んで作ることができる。本実施例は金属メッシュの例である。架台２の周縁には二つの長辺と二つの短辺を有する側枠面５が設置されており、側枠面５の場合には金属片が良いが、ほかの材質でも良い。架台２の側枠面５の二つの長辺の左右両側にはそれぞれ一つの円形穴６が設けられ、隣り合う円形穴６における片側の水平方向に間隔をあけて一つの長円形穴７または長方形穴が設置されている。側枠面５の短辺にはそれぞれＵ字型開け口が下を向くようにすることにより把持が可能な取っ手８が設置されている。
【００１３】
一対の支持枠３は架台２の長辺の左右両側にそれぞれ設置され、支持枠３はＵ字型になるように金属鉄棒が曲げられ、支持枠３は直線状を呈する。支持枠３の下方には閉鎖的で水平方向に曲がっており、外へ向く足部９が隣接する。支持枠３の上方の自由端は、水平方向の内側に向くように曲がっている第一の組立部１０と第二の組立部１１が形成される。第一の組立部１０と第二の組立部１１はそれぞれ弓形面１２及び挿設端１３が曲げられている。弓形面１２は突起状を呈するように二つの折り曲げ箇所により構成され、挿設端１３は支持枠３をなす金属鉄棒の自由端が水平方向の内側に向くように折り曲げられる。それにより第一の組立部１０と第二の組立部１１の挿設端１３が対向し、弓形面１２と挿設端１３のいずれも架台２の側枠面５の長円形穴７及び円形穴６に向くように対応する。挿設端１３は架台２の側枠面５の円形穴６内に挿入され枢着され、それにより支持枠３は自由に立つように展開して折り畳み作動をすることができる。支持枠３が立つように展開して直立状を呈する時に、支持枠３の弓形面１２は直ちに側枠面５の長円形穴７内に挿入され位置決めされる。弓形面１２が移動して長円形穴７から離脱するときに支持枠３は直ちに架台２の底部に隠れるように水平状を呈するように収めることができ、収納棚１の支持枠３を強固に収める効果を達成する。
【００１４】
また、本考案は数組の収納棚１により、それを上下層に折り畳むように組み立てることができる。上層の収納棚１の支持枠３の足部９を利用して、それを下層の収納棚１の取っ手８に挿入して相互に組み立てることができ、収納棚１を積上げる効果を達成する。収納棚１をどれほどの高さに折り畳むかは使用者が自由に選択することができ、それにより機敏に収納棚１を組み立てる効果を達成する。それにより両者を折り畳む時の状態の強固さを取得し、本考案の別の好適な実施形態となる。
【００１５】
このほか、本考案の別の好適な実施例は、図９〜図１０に示すように、収納棚１４の架台１５の構造は頂面が矩形の舗装面１６であり、舗装面１６は金属メッシュを選んで作ることができる。架台１５の周縁には二つの長辺と二つの短辺を有する側枠面１７が設置されており、側枠面１７には二つの長辺の左右両側のコーナーに、隣接するようにそれぞれ一つの翼板１８が設置される。翼板１８上に円形穴１９が設置され、隣り合う円形穴１９の片側の水平方向に間隔をあけて一つの長円形穴２０または長方形穴が設置されている。側枠面１７の短辺にはＵ字型の開け口が下を向くようにすることにより把持が可能な取っ手２１がそれぞれ設置されている。このような実施例における翼板１８は架台１５と一体化形成することができる。当該架台１５がプレートである場合にも、組立の方法を採用して翼板１８を組み立てて架台１５に固定することができる。支持枠３部分の構造は同じであり、支持枠３と架台１５を組み立てる場合は、一対の支持枠３をそれぞれ架台１５の長辺の左右両側に組み立てる。支持枠３の弓形面１２と挿設端１３はいずれも架台１５の側枠面１７の長円形穴２０及び円形穴１９に向くように対応し、挿設端１３は架台１５の側枠面１７の円形穴１９内に挿入され枢着される。それにより支持枠３は自由に立つように展開して折り畳み作動をすることができる。支持枠３が立つように展開して直立状を呈する時に、支持枠３の弓形面１２が直ちに長円形穴２０内に挿入され位置決めされる。弓形面１２が移動し長円形穴２０から離脱して支持枠３は直ちに架台１５の底部に隠れるように水平状を呈するように収めることができ、収納棚１４の支持枠を強固に収めることができる効果を達成し、さらに別の種類の製品の選択を提供する。
【００１６】
本考案は前記実施例及び変形例により説明されたが、本考案のすべての実施例及び変形例は例示にすぎず、本考案の実質的な精神及び範囲に基づけば、前記特徴を含む収納棚の架台と支持枠の各種の変形はすべて本考案に含まれている。
【符号の説明】
【００１７】
１      収納棚
２      架台
３      支持枠
４      舗装面
５      側枠面
６      円形穴
７      長円形穴
８      取っ手
９      足部
１０    第一の組立部
１１    第二の組立部
１２    弓形面
１３    挿設端
１４    収納棚
１５    架台
１６    舗装面
１７    側枠面
１８    翼板
１９    円形穴
２０    長円形穴
２１    取っ手
【図１】
0003230075.tif 000003
【図２】
0003230075.tif 000004
【図３】
0003230075.tif 000005
【図４】
0003230075.tif 000006
【図５】
0003230075.tif 000007
【図６】
0003230075.tif 000008
【図７】
0003230075.tif 000009
【図８】
0003230075.tif 000010
【図９】
0003230075.tif 000011
【図１０】
0003230075.tif 000012